(57)【要約】      （修正有）【課題】構造物によって損傷させられたり、構造物を損傷させることを防止する脚立を提供する。【解決手段】前支柱２２の上端部に前回転金具３２が固定されている。後支柱２４の上端部に後回転金具３４が固定されている。前支柱２２および後支柱２４を開閉しうるように前回転金具３２および後回転金具３４が水平ピン４２によって揺動自在に連結されている。前回転金具３２および後回転金具３４に保護材８１がそれぞれ取付けられている。【選択図】図２
0003168163.tif 000002
【実用新案登録請求の範囲】
【請求項１】
前支持脚および後支持脚を備えており、前支持脚は、左右に互いに間隔をおいて並べられた第１および第２支柱を備えており、後支持脚は、左右に互いに間隔をおいて並べられた第３および第４支柱を備えており、第１支柱の左側面上端部に第１回転金具が固定されており、第２支柱の右側面上端部に第２回転金具が固定されており、第３支柱の左側面上端部に第３回転金具が固定されており、第４支柱の右側面上端部に第４回転金具が固定されており、前支持脚および後支持脚を開閉しうるように第１回転金具および第３回転金具が第１水平ピンによって揺動自在に連結されるとともに、第２回転金具および第４回転金具が第２水平ピンに揺動自在に連結されており、第１回転金具の前縁部に、第１支柱の前側面に相対させられた右向き第１折曲縁部が設けられており、第２回転金具の前縁部に、第２支柱の前側面に相対させられた左向き第２折曲縁部が設けられており、第３回転金具の後縁部に、第３支柱の後側面に相対させられた右向き第３折曲縁部が設けられており、第４回転金具の前縁部に、第４支柱の後側面に相対させられた左向き第４折曲縁部が設けられており、第１〜第４折曲縁部に第１〜第４保護材が取付られている脚立。
【請求項２】
第１〜第４折曲縁部に取付孔がそれぞれあけられており、第１および第２保護材は、対応する取付孔に通された前軸部と、前軸部の前端につらなりかつ対応する取付孔の前周縁部に当接させられた前向き突出半球状前頭部と、前軸部の後端につらなりかつ対応する取付孔の後周縁部に係合させられた前抜止突起とよりなり、第３および第４保護材は、対応する取付孔に通された後軸部と、後軸部の後端に連なりかつ対応する取付孔の後周縁部に当接させられた後向き突出半球状後頭部と、後軸部の前端に連なりかつ対応する取付孔の前周縁部に係合させられた後抜止突起とよりなる請求項１に記載の脚立。
【請求項３】
各保護材の全体は、弾性を有する合成樹脂によって一体成形されている請求項２に記載の脚立。
【請求項４】
抜止突起に、これを半径方向に収縮させるためのスリットが形成されている請求項２または３に記載の脚立。
【考案の詳細な説明】
【技術分野】
【０００１】
この考案は、高所作業に際し、作業員が上がり下りするようにして用いられる脚立に関する。
【背景技術】
【０００２】
この種の脚立としては、前支持脚および後支持脚を備えており、前支持脚は、左右に互いに間隔をおいて並べられた第１および第２支柱を備えており、後支持脚は、左右に互いに間隔をおいて並べられた第３および第４支柱を備えており、第１支柱の左側面上端部に第１回転金具が固定されており、第２支柱の右側面上端部に第２回転金具が固定されており、第３支柱の左側面上端部に第３回転金具が固定されており、第４支柱の右側面上端部に第４回転金具が固定されており、前支持脚および後支持脚を開閉しうるように第１回転金具および第３回転金具が第１水平ピンによって揺動自在に連結されるとともに、第２回転金具および第４回転金具が第２水平ピンに揺動自在に連結されており、第１回転金具の前縁部に、第１支柱の前側面に相対させられた右向き第１折曲縁部が設けられており、第２回転金具の前縁部に、第２支柱の前側面に相対させられた左向き第２折曲縁部が設けられており、第３回転金具の後縁部に、第３支柱の後側面に相対させられた右向き第３折曲縁部が設けられており、第４回転金具の前縁部に、第４支柱の後側面に相対させられた左向き第４折曲縁部が設けられており、第１および第２折曲縁部の前側面全体は、それぞれ前向きに露出させられており、第３および第４折曲縁部の後側面全体は、それぞれ後向きに露出させられているものが知られている。
【０００３】
上記の脚立では、使用時、運搬時、収納時等を問わず、各折曲縁部は建物の壁、床等の構造物に頻繁に衝突させられる。そのため、各折曲縁部そのものが障害物によって損傷させられるし、逆に、各折曲縁部が構造物を損傷させることがある。
【考案の概要】
【考案が解決しようとする課題】
【０００４】
この考案の目的は、脚立が構造物によって損傷させられたり、脚立が構造物を損傷させることを防止できる脚立を提供することにある。
【課題を解決するための手段】
【０００５】
この考案による脚立は、前支持脚および後支持脚を備えており、前支持脚は、左右に互いに間隔をおいて並べられた第１および第２支柱を備えており、後支持脚は、左右に互いに間隔をおいて並べられた第３および第４支柱を備えており、第１支柱の左側面上端部に第１回転金具が固定されており、第２支柱の右側面上端部に第２回転金具が固定されており、第３支柱の左側面上端部に第３回転金具が固定されており、第４支柱の右側面上端部に第４回転金具が固定されており、前支持脚および後支持脚を開閉しうるように第１回転金具および第３回転金具が第１水平ピンによって揺動自在に連結されるとともに、第２回転金具および第４回転金具が第２水平ピンに揺動自在に連結されており、第１回転金具の前縁部に、第１支柱の前側面に相対させられた右向き第１折曲縁部が設けられており、第２回転金具の前縁部に、第２支柱の前側面に相対させられた左向き第２折曲縁部が設けられており、第３回転金具の後縁部に、第３支柱の後側面に相対させられた右向き第３折曲縁部が設けられており、第４回転金具の前縁部に、第４支柱の後側面に相対させられた左向き第４折曲縁部が設けられており、第１〜第４折曲縁部に第１〜第４保護材が取付られているものである。
【０００６】
この考案による脚立によれば、保護材によって、脚立が構造物によって損傷させられたり、脚立が構造物を損傷させることを防止できる。
【０００７】
さらに、第１〜第４折曲縁部に取付孔がそれぞれあけられており、第１および第２保護材は、対応する取付孔に通された前軸部と、前軸部の前端につらなりかつ対応する取付孔の前周縁部に当接させられた前向き突出半球状前頭部と、前軸部の後端につらなりかつ対応する取付孔の後周縁部に係合させられた前抜止突起とよりなり、第３および第４保護材は、対応する取付孔に通された後軸部と、後軸部の後端に連なりかつ対応する取付孔の後周縁部に当接させられた後向き突出半球状後頭部と、後軸部の前端に連なりかつ対応する取付孔の前周縁部に係合させられた後抜止突起とよりなることが好ましい。
【０００８】
また、各保護材の全体は、弾性を有する合成樹脂によって一体成形されていると、保護材を安価に製造できる。
【０００９】
また、抜止突起に、これを半径方向に収縮させるためのスリットが形成されていると、取付孔に対する保護材の着脱を容易に行うことができる。
【考案の効果】
【００１０】
この考案によれば、脚立が構造物によって損傷させられたり、脚立が構造物を損傷させることを防止することのできる脚立が提供される。
【図面の簡単な説明】
【００１１】
【図１】この考案による脚立の斜視図である。
【図２】同脚立の回転金具の拡大断面図である。
【図３】図２のIII−III線にそう断面図である。
【考案を実施するための形態】
【００１２】
以下の説明において、前後とは、図１を基準として、図１に矢印Aで示す側を前、これと反対側を後といい、左右とは、前方から見て、その左右の側を左右というものとする。
【００１３】
脚立は、前支持脚11および後支持脚12を備えている。
【００１４】
前支持脚11は、左右に互いに間隔をおいて並べられた第１支柱21および第２支柱22を備えている。後支持脚12は、左右に互いに間隔をおいて並べられた第３支柱23および第４支柱24を備えている。
【００１５】
第１支柱21および第２支柱22の上端部には前天板25が渡し止められ、その下方には前踏桟26が上下２段に渡し止められている。第３支柱23および第４支柱24の上端部には後天板27が渡し止められ、その下方には後踏桟28が上下２段に渡し止められている。
【００１６】
第１支柱21の左側面上端部に第１回転金具31が固定されている。第２支柱22の右側面上端部に第２回転金具32が固定されている。第３支柱23の左側面上端部に第３回転金具33が固定されている。第４支柱24の右側面上端部に第４回転金具34が固定されている。
【００１７】
第１回転金具31および第３回転金具33が第１水平ピン41によって揺動自在に連結されるとともに、第２回転金具32および第４回転金具34が第２水平ピン42に揺動自在に連結されており、これにより、前支持脚11および後支持脚12を互いに前後方向に揺動させて開閉しうるようになっている。
【００１８】
第１〜第４支柱21〜24は、いずれも伸縮式のもので、伸縮長さ調節用ロック装置51〜54を備えている。
【００１９】
第１〜第４回転金具31〜34は、前後および左右方向の向きは異にするが、基本構造は同一のものである。第１〜第４回転金具31〜34を代表するものとして、図２および図３に示す第２回転金具32について、以下に詳細に説明する。第１、第３および第４回転金具31、33、34については、前後および左右を読み替えるものとし、その詳細説明は市要略する。
【００２０】
第２回転金具32は、第２支柱22の右側面に重ね合わされた鋼板プレス成形品製方形板状金具本体61と、金具本体61から後斜め上向きに突出させられた耳62と、金具本体61の前縁部上部に連なりかつっている左向き折曲縁部63とよりなる。
【００２１】
第２支柱22および金具本体61とにまたがってリベット71が打ち込まれている。耳62には、第２水平ピン42を貫通させたピン孔72が形成されている。折曲縁部63の上端部には取付孔73があけられており、これに保護材81が取付られている。
【００２２】
保護材81は、弾性を有する合成樹、例えば、PVCによって一体成形されたもので、取付孔73に通された前後方向にのびた軸部91と、軸部91の前端につらなりかつ取付孔73の前周縁部に当接させられた前向き突出半球状頭部92と、軸部91の後端につらなりかつ取付孔73の後周縁部に係合させられた抜止突起93とよりなる。
【００２３】
抜止突起93には、これを収縮させるための半径方向スリット101が形成されている。
【００２４】
第１、第３および第４回転金具31、33、34には、第２回転金具32に準じて、折曲縁部63および保護材81が備えられている。
【００２５】
脚立を、これを閉じた状態で、例えば、床上に寝かせる場合、折曲縁部63が床と接触させるられることなるが、真っ先に、保護材81の頭部92が床に当接させられる。これにより、脚立および床の双方の損傷が防止される。
【産業上の利用可能性】
【００２６】
この考案による脚立は、脚立が構造物によって損傷させられたり、脚立が構造物を損傷させることを防止することを達成するのに適している。
【符号の説明】
【００２７】
11  前支持脚
12  後支持脚
21〜24  支柱
31〜34  回転金具
41、42  ピン
81  保護材
【図１】
0003168163.tif 000003
【図２】
0003168163.tif 000004
【図３】
0003168163.tif 000005